(57)【要約】【課題】コントローラボックスの屋外側における露出部分が破壊された場合にこれを検知して侵入犯による電気的操作を不可能として防犯性を高めることができる。【解決手段】開閉自在なドア１と電気錠２とを備えた出入り口ドア装置３に電気錠２の施解錠の制御を行うための制御部４を収納したコントローラボックス５を設ける。コントローラボックス５の一部を出入り口ドア装置３の屋外側の面に露出させる。該コントローラボックス５の屋外側露出部６を電気錠２を屋外側から施解錠するための屋外側施解錠受付け部７とする。コントローラボックス５内の屋外側露出部６に対向した位置に照度検出手段８を設ける。照度検出手段８で検出した照度値が規定値を越えた場合に制御部４の機能を停止する手段を設ける。【選択図】　　　　図１
2004116086.tif 000002
【特許請求の範囲】
【請求項１】
開閉自在なドアと電気錠とを備えた出入り口ドア装置に電気錠の施解錠の制御を行うための制御部を収納したコントローラボックスを設け、該コントローラボックスの一部を出入り口ドア装置の屋外側の面に露出させ、該コントローラボックスの屋外側露出部部分に電気錠を屋外側から施解錠するための屋外側施解錠受付け部を設け、コントローラボックス内の屋外側露出部に対向した位置に照度検出手段を設け、照度検出手段で検出した照度値が規定値を越えた場合に制御部の機能を停止する手段を設けて成ることを特徴とする電気錠のコントローラボックスの破壊検知装置。
【請求項２】
照度検出手段で検出した照度値が規定値を越えた場合に警報を発する警報発生手段を設けて成ることを特徴とする請求項１記載の電気錠のコントローラボックスの破壊検知装置。
【請求項３】
照度検出手段で検出したある規定時間での照度値の差が規定値よりも大きい場合に制御部の機能を停止する手段を設けて成ることを特徴とする請求項１又は請求項２記載の電気錠のコントローラボックスの破壊検知装置。
【発明の詳細な説明】
【０００１】
【発明の属する技術分野】
本発明は、玄関ドア装置のような出入り口装置に設ける電気錠のコントローラボックスの破壊検知装置に関するものである。
【０００２】
【従来の技術】
従来から玄関ドア装置のような出入り口装置に設けたドアに電気錠を設けると共に該電気錠の施解錠の制御を行うための制御部を収納したコントローラボックスを設け、コントローラボックスの一部をドアの屋外側の面に露出させ、この屋外側に露出した部分に指紋照合部を設け、屋外側において指紋照合部で指紋を照合し、登録してある指紋であるとの認証がなされた際に制御部によりドアの開閉の制御を行うようにしているものが知られている。（例えば特許文献１参照）
【０００３】
【特許文献１】
特開２００２−７０３８０号公報
【０００４】
【発明が解決しようとする課題】
上記の特許文献１のような電気的に施解錠する電気錠システムは、利便性より玄関ドアからの侵入犯に対する安全性を高める目的で設置する場合が多く、このため、電気錠システムに用いられる錠はピッキングが困難であり、機械的に容易に解錠できない構造となっている。
【０００５】
しかしながら、侵入犯が電気的な知識を有している場合は特許文献１のように屋外側に露出しているコントローラボックスの一部を屋外側から破壊し、電気的操作（短絡等）を行うことで、電気錠コントローラの誤動作を誘発して解錠する可能性が懸念される。
【０００６】
本発明は上記の点に鑑みてなされたものであり、コントローラボックスの屋外側における露出部分が破壊された場合にこれを検知して侵入犯による電気的操作を不可能とし、また、警報を発生して防犯性を高めることができる電気錠のコントローラボックスの破壊検知装置を提供することを課題とするものである。
【０００７】
【課題を解決するための手段】
上記課題を解決するために本発明に係る電気錠のコントローラボックスの破壊検知装置は、開閉自在なドア１と電気錠２とを備えた出入り口ドア装置３に電気錠２の施解錠の制御を行うための制御部４を収納したコントローラボックス５を設け、該コントローラボックス５の一部を出入り口ドア装置３の屋外側の面に露出させ、該コントローラボックス５の屋外側露出部６部分に電気錠２を屋外側から施解錠するための屋外側施解錠受付け部７を設け、コントローラボックス５内の屋外側露出部６に対向した位置に照度検出手段８を設け、照度検出手段８で検出した照度値が規定値を越えた場合に制御部４の機能を停止する手段を設けて成ることを特徴とするものである。このような構成とすることで、コントローラボックス５の一部の屋外側に露出した屋外側施解錠受付け部７部分を破壊された場合に、屋外側の光がコントローラボックス５の内部に入って、コントローラボックス５内部の照度検出手段８により外光を検知し、照度検出手段８で検出した照度値が規定値を越えた場合に制御部４の機能を停止する手段により制御部４の機能が停止し、これによりコントローラボックス５の屋外側露出部６を破壊した侵入犯が電気的に解錠を試みても解錠を防ぐことができるものである。
【０００８】
また、照度検出手段８で検出した照度値が規定値を越えた場合に警報を発する警報発生手段１０を設けることも好ましい。このような構成とすることで、侵入犯がコントローラボックス５の屋外側露出部６を破壊すると警報発生手段１０により警報が発生され、より防犯効果を高めることができるものである。
【０００９】
また、照度検出手段８で検出したある規定時間での照度値の差が規定値よりも大きい場合に制御部４の機能を停止する手段を設けることが好ましい。このような構成とすることで、コントローラボックス５の設置環境（季節、日時等による周囲の明るさ環境）が変化しても侵入犯によるコントローラボックス５の屋外側露出部６の破壊を検知することが可能となるものである。
【００１０】
【発明の実施の形態】
以下、本発明を添付図面に示す実施形態に基づいて説明する。
【００１１】
図３に示すような玄関ドア装置のような出入り口ドア装置３は、開閉自在なドア１を有するドアユニット９と、ドア１の施解錠を電気的に行う電気錠２とを備えており、更に、この出入り口ドア装置３には電気錠２の施解錠の制御を行うための制御部４を収納した図１、図２に示すようなコントローラボックス５を設けてある。また、コントローラボックス５にはブザー、ＬＥＤ等の警報発生手段１０を設けてあり、更に、後述の屋外側施解錠受付け部７、各電子機器をケーブル（図示せず）で接続するためのコネクタ１９等が設けてある。
【００１２】
ドアユニット９は例えば、図３に示すようにドア枠１５とドア１、又はドア枠１５とドア１と袖壁とで構成してあり、ドア１としては単体の場合、又は図３に示すように主ドア１ａと子ドア１ｂとで構成した場合とがある。電気錠２はデッドボルトと、デッドボルトを駆動するデッドボルト駆動部２０と、デッドボルトが突出した際に挿入自在となったデッドボルト受け部とで構成してあり、デッドボルト駆動部２０は後述の制御部４からの制御信号により駆動してデッドボルトを出没自在としている。
【００１３】
コントローラボックス５は出入り口ドア装置３に設けられる（実施形態ではドア１に取付けてある）が、このコントローラボックス５は図２に示すようなもので、図１に示すように内部に制御部４が設けてある。コントローラボックス５を出入り口ドア装置３（実施形態ではドア１）に取付けた状態でその一部が屋外側の面に露出し、また、他の一部が屋内側に露出するようになっている。
【００１４】
コントローラボックス５の屋内側の面に露出した屋内側露出部１２には屋内側において電気錠２の施解錠するための屋内側施解錠操作部１３が設けてある。
【００１５】
また、コントローラボックス５の屋外側の面に露出した屋外側露出部６部分に電気錠２を屋外側から施解錠するための屋外側施解錠受付け部７を設けてある。図１に示す実施形態ではコントローラボックス５の屋外側露出部６の背面にアンテナ部１４を設けることで屋外側露出部６部分に屋外側施解錠受付け部７を設けてある。本実施形態では暗証コードが書き込まれたカードを屋外において屋外側施解錠受付け部７に近づけることで、カードに書き込まれた暗証コードをアンテナ部１４で読み取り、正規に登録された暗証コードであると認識された場合に制御部４により電気錠２の施解錠を行うようになっている。
【００１６】
コントローラボックス５の屋外側露出部６部分に屋外側施解錠受付け部７を設けるに当たっては上記実施形態にのみ限定されず、例えば、屋外側露出部６に指紋を入力する指紋入力部やあるいは瞳孔入力部やあるいは音声入力部等の屋外側施解錠受付け部７を設けてもよく、この場合には屋外側施解錠受付け部７において指紋又は瞳孔又は音声を入力し、あらかじめ登録してある指紋又は瞳孔又は音声の情報と一致しているか否かの認証を行い、正規に登録されたデータと一致していると認識された場合に制御部４により電気錠２の施解錠を行うようになっている。また、コントローラボックス５の屋外側露出部６部分に屋外側施解錠受付け部７を設けるに当たって、屋外側露出部６にテンキーを配置して屋外側施解錠受付け部７とし、テンキーにより暗証番号を入力された場合に制御部４により電気錠２の施解錠を行うようにしてもよい。
【００１７】
また、屋外側露出部６には電気錠２の施解錠状態等を表示する表示用ＬＥＤ１７が設けてある。
【００１８】
コントローラボックス５内の屋外側露出部６に対向した位置にＣｄＳ等の照度検出手段８が設けてある。この照度検出手段８により検出された照度情報は制御部４に入力されるようになっている。そして、図４に示すように制御部４には照度検出手段８で検出した照度値が規定値を越えているかどうかを判断するための判定部１６が設けてあり、判定部１６で検出した照度値が規定値を越えていて異常状態であると判断した場合に制御部４の機能を停止する手段が設けてある。
【００１９】
制御部４の機能を停止する手段としては例えば一例としてチップセレクト端子ＣＳを挙げることができる。照度検出手段８で検出した照度値があらかじめ設定した規定値を越えた場合に判定部１６で異常が発生したと判断してチップセレクト端子ＣＳへの信号が入力されなくなり、制御部４の機能が停止するようになっている。
【００２０】
制御部４の機能を停止する手段の他の例としては、照度検出手段８で検出した照度値があらかじめ設定した規定値を越えた場合に判定部１６で異常が発生したと判断した場合に制御部４の電源をオフにして制御部４の機能を停止するようにするものであってもよい。
【００２１】
ここで、照度検出手段８で検出した照度値があらかじめ設定した規定値を越えた場合に判定部１６により異常であると判断するに当たって、照度値があらかじめ設定した絶対照度を超えた場合に異常であると判断する場合と、照度検出手段８で検出したある規定時間での照度値の差（つまり破壊前後の照度変化の値）が規定値よりも大きい場合（つまり規定値を越えた場合）に異常であると判断する場合とがある。
【００２２】
しかして、電気錠２の施錠状態において、屋外側露出部６を侵入犯が破壊すると、コントローラボックス５内に屋外側の光が入り、この屋外から差し込んだ光を屋外側露出部６に対向してコントローラボックス５内に配置してある照度検出手段８で検知するのであるが、屋外側の光を検知し、制御部４に入力された照度値のデータにより異常と判断した場合には、機能を停止する手段により制御部４の機能が停止され、これにより屋外側露出部６を破壊した侵入犯が屋外側から電気的に解錠を試みても施錠状態が保たれたまま解錠できず、電気錠２の信頼性、安全性を確保することができるものである。
【００２３】
なお、電気錠２を制御するコントローラボックス５の設置環境（季節、日時等による周囲の明るさ環境）により、照度値は大きく変化することが予想されるが、照度検出手段８で検出したある規定時間（例えば３０秒）での照度値の差（つまり破壊前後の照度変化の値）が規定値よりも大きい場合（つまり変動が大きい場合）は異常であると判断して機能を停止する手段により制御部４の機能が停止するようにしたものにおいては、周囲の環境に影響されず確実に破壊による照度変化をとらえることができるものである。
【００２４】
本発明においては、上記のように照度検出手段８で検出した照度値があらかじめ設定した規定値を越えた場合に異常であると判断した際に、制御部４の機能を停止して施錠できないようにするのであるが、このように照度検出手段８で検出した照度値があらかじめ設定した規定値を越えた場合に判定部１６により異常であると判断した際に同時にコントローラボックス５に設けたブザー、ＬＥＤ等の警報発生手段１０により警報を発生するようになっている。すなわち、照度検出手段８で検出した照度値があらかじめ設定した規定値を越えた場合に判定部１６で異常が発生したと判断してチップセレクト端子ＣＳへの信号が入力されなくなり、制御部４の機能が停止するのであるが、ブザー、ＬＥＤ等の警報発生手段１０は上記制御部４が機能停止した時の信号変化により警報発生動作を行うように設定してある。このように侵入犯がコントローラボックス５の屋外側露出部６を破壊すると警報発生手段１０により警報音や警報発光等の警報が発生され、より防犯効果を高めることができるものである。
【００２５】
なお、照度検出手段８で検出した照度値があらかじめ設定した規定値を越えた場合に判定部１６で異常が発生したと判断した際に制御部４の電源をオフにして制御部４の機能を停止するものにおいては、警報発生手段１０の電源を制御部４とは別系統とし、制御部４が機能停止した時の信号変化により警報発生手段１０による警報発生動作を行うように設定してある。
【００２６】
【発明の効果】
上記のように本発明の請求項１記載の発明にあっては、コントローラボックスの一部を出入り口ドア装置の屋外側の面に露出させ、該コントローラボックスの屋外側露出部を電気錠を屋外側から施解錠するための屋外側施解錠受付け部とし、コントローラボックス内の屋外側露出部に対向した位置に照度検出手段を設け、照度検出手段で検出した照度値が規定値を越えた場合に制御部の機能を停止する手段を設けてあるので、コントローラボックスの一部の屋外側に露出した屋外側施解錠受付け部部分を破壊された場合に、屋外側の光がコントローラボックスの内部に入って、コントローラボックス内部の照度検出手段により外光を検知し、照度検出手段で検出した照度値が規定値を越えた場合に制御部の機能を停止する手段により制御部の機能が停止し、これによりコントローラボックスの屋外側露出部を破壊した侵入犯が電気的に解錠を試みても解錠を防ぐことができて、電気錠の信頼性、安全性を高めることができるものである。
【００２７】
また、請求項２記載の発明にあっては、上記請求項１記載の発明の効果に加えて、照度検出手段で検出した照度値が規定値を越えた場合に警報を発する警報発生手段を設けてあるので、侵入犯がコントローラボックスの屋外側露出部を破壊すると警報発生手段により警報が発生され、より防犯効果を高めることができるものである。
【００２８】
また、請求項３記載の発明にあっては、上記請求項１又は請求項２記載の発明の効果に加えて、照度検出手段で検出したある規定時間での照度値の差が規定値よりも大きい場合に制御部の機能を停止する手段を設けてあるので、コントローラボックスの設置環境（季節、日時等による周囲の明るさ環境）が変化しても侵入犯によるコントローラボックスの屋外側露出部の破壊を検知することが可能となり、解錠防止の信頼性が向上し、且つ、検知不動作との誤動作を軽減することができるものである。
【図面の簡単な説明】
【図１】本発明のコントローラボックスの一部破断した斜視図である。
【図２】同上のコントローラボックスの斜視図である。
【図３】同上のコントロールボックスを設けた出入り口ドア装置の正面図である。
【図４】本発明の制御ブロック図である。
【符号の説明】
１　ドア
２　電気錠
３　出入り口ドア装置
４　制御部
５　コントローラボックス
６　屋外側露出部
７　屋外側施解錠受付け部
８　照度検出手段
１０　警報発生手段
【図１】
2004116086.tif 000003
【図２】
2004116086.tif 000004
【図３】
2004116086.tif 000005
【図４】
2004116086.tif 000006